(57)【要約】【課題】  簡単な構造で容易にバーを取り外せるワーク搬送装置、このワーク搬送装置を備えたプレス機械、およびワーク搬送装置のバー取外方法を提供すること。【解決手段】  複数のワーク保持具５２を、バー１４上のスライドプレート７１に取り付け、移動プレート７２にプレート連結部７３によって連結する。プレート連結部７３は、移動プレート７２に形成された係合部７３１と、スライドプレート７１に形成され係合部７３１が係合する被係合部７３２とを備える。固定バー１４１を移動バー１４２に対して下方に移動させると、移動バー１４２が外れるとともに、係合部７３１の被係合部７３２に対する係合が外れる。一度の下方移動で移動バー１４２およびスライドプレート７１を同時に取り外すことができ、プレート連結部７３としてアクチュエータが不要となるので、構造を簡単にできる。【選択図】 図９
2006289478.tif 000002
【特許請求の範囲】
【請求項１】
プレス機械(１)のワーク搬送装置(４１)において、
ワーク搬送方向にほぼ平行に配置される一対のバー(１４)と、
ワーク(２)を保持するワーク保持具(５２)と、
前記ワーク保持具(５２)を前記バー(１４)に対してワーク搬送方向に移動させるフィード駆動機構(７０)と、
前記一対のバー(１４)をリフト方向およびクランプ方向の少なくともいずれか一方向に駆動するバー駆動機構(８０)とを備え、
前記バー(１４)は、前記バー駆動機構(８０)に固定される固定バー(１４１)と、この固定バー(１４１)から分割可能な移動バー(１４２)と、前記固定バー(１４１)と前記移動バー(１４２)とを連結するバー連結装置(１５)とを有し、
前記フィード駆動機構(７０)は、前記移動バー(１４２)に支承され、かつスライド可能であるスライド部材(７１)と、前記固定バー(１４１)に支承され、かつスライド可能な移動部材(７２)と、前記スライド部材(７１)と前記移動部材(７２)とを連結する連結部(７３)と、前記固定バー(１４１)に設けられるとともに前記移動部材(７２)をワーク搬送方向に移動させるフィード駆動源(７５)とを有し、
前記連結部(７３)は、前記スライド部材(７１)および前記移動部材(７２)のいずれか一方に設けられる係合部(７３１)と、前記スライド部材(７１)および前記移動部材(７２)のいずれか他方に設けられるとともに前記係合部(７３１)が係合される被係合部(７３２)とで構成され、前記係合部(７３１)は、前記被係合部(７３２)に対して、前記バー(１４)の長手方向に略直交する方向から係合可能に構成される
ことを特徴とするプレス機械(１)のワーク搬送装置(４１)。
【請求項２】
請求項１に記載のプレス機械(１)のワーク搬送装置(４１)において、
前記係合部(７３１)は、前記被係合部(７３２)に対して、鉛直方向から係合可能に構成される
ことを特徴とするプレス機械(１)のワーク搬送装置(４１)。
【請求項３】
請求項１または請求項２に記載のプレス機械(１)のワーク搬送装置(４１)において、
前記係合部(７３１)は、平面略Ｔ字形に形成され、
前記被係合部(７３２)は、平面略Ｃ字形に形成される
ことを特徴とするプレス機機(１)のワーク搬送装置(４１)。
【請求項４】
請求項１から請求項３のいずれかに記載のプレス機械(１)のワーク搬送装置(４１)において、
前記移動バー(１４２)の両端に前記固定バー(１４１)を配し、
前記フィード駆動源(７５)は、少なくとも前記固定バー(１４１)のいずれか一方に設けられている
ことを特徴とするプレス機械(１)のワーク搬送装置(４１)。
【請求項５】
請求項１から請求項４のいずれかに記載のプレス機械(１)のワーク搬送装置(４１)において、
前記バー連結装置(１５)は、前記固定バー(１４１)端部から前記移動バー(１４２)に向かって突出する固定側連結部(１５１)と、前記移動バー(１４２)端部から前記固定バー(１４１)に向かって突出するとともに前記固定側連結部(１５１)に重なる移動側連結部(１５２)と、前記固定バー(１４１)内部に配置されるとともに空圧によって前記固定バー(１４１)の長手方向に進退可能な挟持部材(１６５)によって前記固定側連結部(１５１)との間で前記移動側連結部(１５２)を挟持する挟持手段(１６)とを備える
ことを特徴とするプレス機械(１)のワーク搬送装置(４１)。
【請求項６】
請求項５に記載のプレス機械(１)のワーク搬送装置(４１)において、
前記固定側連結部(１５１)および前記移動側連結部(１５２)のいずれか一方には、いずれか他方に向かって突出するガイドピン(１５３Ａ)が設けられ、
前記固定側連結部(１５１)および前記移動側連結部(１５２)のいずれか他方には、前記ガイドピン(１５３Ａ)が挿通されるガイド孔(１５３Ｂ)が形成される
ことを特徴とするプレス機械(１)のワーク搬送装置(４１)。
【請求項７】
請求項５または請求項６に記載のプレス機械(１)のワーク搬送装置(４１)において、
前記バー駆動機構(８０)によって前記固定バー(１４１)を前記移動バー(１４２)に対して前記バー(１４)の長手方向に略直交する方向に移動させることにより、前記固定側連結部(１５１)と前記移動側連結部(１５２)とを重畳または離間させると同時に、前記連結部(７３)を連結または解除する
ことを特徴とするプレス機械(１)のワーク搬送装置(４１)。
【請求項８】
請求項１から請求項７のいずれかに記載のプレス機械(１)のワーク搬送装置(４１)を備えたことを特徴とするプレス機械(１)。
【請求項９】
請求項１から請求項７のいずれかに記載のプレス機械(１)のワーク搬送装置(４１)のバー取外方法であって、
前記フィード駆動機構(７０)によって前記連結部(７３)の位置を前記バー連結装置(１５)に対応する位置に移動させる位置合わせ工程と、
前記バー駆動機構(８０)によって前記固定バー(１４１)を前記移動バー(１４２)に対して前記バー(１４)の長手方向に略直交する方向に移動させることにより、前記バー連結装置(１５)および前記連結部(７３)の各連結を解除する連結解除工程とを備えた
ことを特徴とするバー取外方法。
【発明の詳細な説明】
【技術分野】
【０００１】
本発明は、複数工程を有するプレス加工においてワークを次工程に搬送するワーク搬送装置、このワーク搬送装置を備えたプレス機械、およびワーク搬送装置のバー取外方法に関する。
【背景技術】
【０００２】
複数のプレス加工工程を有するトランスファプレスなどのプレス機械には、ワークを次工程に順次搬送するワーク搬送装置が設けられている。このワーク搬送装置は、ワーク搬送方向に沿って配置される一対のバーを備え、バーにはワークを保持するワーク保持具が設けられている。これら一対のバーをフィード方向、リフト方向、およびクランプ方向に移動させることによってワークを搬送する。
【０００３】
このようなプレス機械において、金型変更を行う場合にはワーク保持具とともにバーを交換する必要がある。そこで、従来のワーク搬送装置のバーは、プレス機械に対して固定される部分と、ワーク保持具が保持される部分とに分割可能に構成されている（例えば、特許文献１参照）。このワーク搬送装置では、分割可能な一方のバーと他方のバーとは、連結装置によって連結、分割される。
【０００４】
連結装置は、一方のバーに設けられたくさび部材と、他方のバーに設けられ、くさび部材が係合する係合爪が設けられている。くさび部材は、ピストンの先端に形成されており、エア圧によってピストンが移動すると、くさび部材が他方のバー側に突出して係合爪に係合し、これにより一方のバーが他方のバーに連結される。これらの連結を解除する場合には、連結装置とは別に設けられたディスコネクタ装置などによって係合爪を拡開させ、くさび部材の係合を外す。
【特許文献１】実用新案登録第２５８３１７５号（第５〜第７頁、図１）
【発明の開示】
【発明が解決しようとする課題】
【０００５】
ところで、近年、バー上をフィード方向に移動可能なフィードキャリアが設けられた構造のワーク搬送装置が提案されている。このワーク搬送装置は、複数のフィードキャリアがバー上に配置されており、これらのフィードキャリアは互いに連結部材で連結されている。リニアモータなどの駆動装置によって連結部材を移動させると、複数のフィードキャリアが同時にバー上をフィード方向に移動する構造となっている。
【０００６】
このようなワーク搬送装置において、金型交換を行う場合には、バーを分割して取り外すとともに、フィードキャリアが連結された連結部材も分割して取り外す必要がある。しかしながら、連結部材を分割、連結する構造は未だ開発されておらず、仮に例えば前述の特許文献１のような従来の連結装置をこの連結部材に適用すると考えると、構造が複雑になってしまう。また、部品点数も多くなり、制御やメンテナンスなども困難となり、取扱性が悪いという問題がある。
【０００７】
本発明の目的は、簡単な構造で容易にバーを取り外せるワーク搬送装置、このワーク搬送装置を備えたプレス機械、およびワーク搬送装置のバー取外方法を提供することである。
【課題を解決するための手段】
【０００８】
第１の発明は、プレス機械のワーク搬送装置において、ワーク搬送方向にほぼ平行に配置される一対のバーと、ワークを保持するワーク保持具と、前記ワーク保持具を前記バーに対してワーク搬送方向に移動させるフィード駆動機構と、前記一対のバーをリフト方向およびクランプ方向の少なくともいずれか一方向に駆動するバー駆動機構とを備え、前記バーは、前記バー駆動機構に固定される固定バーと、この固定バーから分割可能な移動バーと、前記固定バーと前記移動バーとを連結するバー連結装置とを有し、前記フィード駆動機構は、前記移動バーに支承され、かつスライド可能であるスライド部材と、前記固定バーに支承され、かつスライド可能な移動部材と、前記スライド部材と前記移動部材とを連結する連結部と、前記固定バーに設けられるとともに前記移動部材をワーク搬送方向に移動させるフィード駆動源とを有し、前記連結部は、前記スライド部材および前記移動部材のいずれか一方に設けられる係合部と、前記スライド部材および前記移動部材のいずれか他方に設けられるとともに前記係合部が係合される被係合部とで構成され、前記係合部は、前記被係合部に対して、前記バーの長手方向に略直交する方向から係合可能に構成されることを特徴とする
第２の発明は、第１の発明のプレス機械のワーク搬送装置において、係合部は、被係合部に対して、鉛直方向から係合可能に構成されることを特徴とする。
【０００９】
第３の発明は、第１の発明または第２の発明のプレス機械のワーク搬送装置において、係合部は、平面略Ｔ字形に形成され、被係合部は、平面略Ｃ字形に形成されることを特徴とする。
第４の発明は、第１の発明から第項３の発明のいずれかに記載のプレス機械のワーク搬送装置において、前記移動バーの両端に前記固定バーを配し、前記フィード駆動源は、少なくとも前記固定バーのいずれか一方に設けられていることを特徴とする。
【００１０】
第５の発明は、第１の発明から第４の発明のいずれかのプレス機械のワーク搬送装置において、バー連結装置は、固定バー端部から移動バーに向かって突出する固定側連結部と、移動バー端部から固定バーに向かって突出するとともに固定側連結部に重なる移動側連結部と、固定バー内部に配置されるとともに空圧によって固定バーの長手方向に進退可能な挟持部材によって固定側連結部との間で移動側連結部を挟持する挟持手段とを備えることを特徴とする。
【００１１】
第６の発明は、第５の発明のプレス機械のワーク搬送装置において、固定側連結部および移動側連結部のいずれか一方には、いずれか他方に向かって突出するガイドピンが設けられ、固定側連結部および移動側連結部のいずれか他方には、ガイドピンが挿通されるガイド孔が形成されることを特徴とする。
第７の発明は、第５の発明または第６の発明のプレス機械のワーク搬送装置において、前記バー駆動機構によって前記固定バーを前記移動バーに対して前記バーの長手方向に略直交する方向に移動させることにより、前記固定側連結部と前記移動側連結部とを重畳または離間させると同時に、前記連結部を連結または解除することを特徴とする。
【００１２】
第８の発明は、第１の発明から第７の発明のいずれかのプレス機械のワーク搬送装置を備えたことを特徴とするプレス機械である。
【００１３】
第９の発明は、第１の発明から第７の発明のいずれかのプレス機械のワーク搬送装置のバーの取外方法であって、フィード駆動機構によって連結部の位置をバー連結装置に対応する位置に移動させる位置合わせ工程と、バー駆動機構によって固定バーを移動バーに対してバーの長手方向に略直交する方向に移動させることにより、バー連結装置および連結部の各連結を解除する連結解除工程とを備えたことを特徴とする。
【発明の効果】
【００１４】
第１の発明によれば、スライド部材と移動部材との間に連結部が設けられているので、スライド部材と移動部材とが分割可能となる。よって、金型交換の際には、バーが固定バーと移動バーとに分割されるとともに、スライド部材が移動部材から分割される。したがって、金型交換の際にスライド部材をバーとともにプレス機械の外（内）に搬出（搬入）することが可能となり、金型交換が容易となる。
【００１５】
また、連結部は係合部と被係合部とを備えて構成され、係合部が被係合部に対してバーの長手方向に略直交する方向から係合可能に構成されている。このため、固定バーを移動バーに対してバーの長手方向に略直交する方向に移動させることで、係合部が被係合部に係合する。スライド部材および移動部材は、通常のワーク搬送時にはバーの長手方向に沿って移動するので、係合部と被係合部との係合が外れることがない。以上のように、係合部が被係合部に対してバーの長手方向に略直交する方向から係合可能に構成されているので、従来のようなアクチュエータやディスコネクト装置等を有する連結装置を設けることなく、スライド部材および移動部材の分割、連結が可能となる。したがって、ワーク搬送装置の構造が簡単になるとともに、ワーク搬送装置の軽量化、小型化が促進される。また、連結部の構造が簡単になるので、部品点数が低減し、ワーク搬送装置が安価に構成されるとともに、メンテナンス性が向上する。
【００１６】
第２の発明によれば、係合部が被係合部に対して鉛直方向から係合可能に構成されているので、固定バーを移動バーに対して鉛直方向に移動させることによって、係合部が被係合部に係合する。ここで、例えばプレス機械のワーク搬送装置のバー駆動機構が、バーをリフト方向に移動させる機構を有している場合には、このバー駆動機構をそのまま利用してスライド部材と移動部材とを連結、分割できるので、ワーク搬送装置の構造が簡素化するとともに、連結、分割の作業が容易となる。
【００１７】
第３の発明によれば、係合部は平面略Ｔ字形に形成され、被係合部は平面略Ｃ字形に形成されているので、係合部が被係合部に容易に係合され、スライド部材および移動部材をフィード方向に移動させても両者の係合が外れることなく両者の係合が良好に保持される。
【００１８】
ここで、係合部および被係合部の平面とは、係合部が被係合部に対して係合する方向に直交する面をいい、例えば係合部が被係合部に対して鉛直方向から係合する場合には、係合部および被係合部が、水平面に平行な面の形状がそれぞれ略Ｔ字形および略Ｃ字形に形成されることを意味する。
【００１９】
第４の発明によれば、移動バーの両端に固定バーを配しているので、移動バーが両持ち構造になり、安定したワーク搬送が可能になる。また、フィード駆動源を両端に固定バーに設ければ、１つのフィード駆動源の出力容量が小さくてすむようになる。一方、フィード駆動源をいずれか一方の固定バーに設ければ、装置全体が簡素化される。
【００２０】
第５の発明によれば、固定側連結部と移動側連結部とが重なった状態で、空圧によって挟持部材がバーの端部から長手方向に沿って突出すると、移動側連結部が固定側連結部と挟持部材との間に挟持される。これにより、固定バーと移動バーとが連結される。また、移動バーを固定バーから取り外す場合には、空圧を制御することで挟持部材を退避させる。ここで、挟持部材は固定バーの長手方向に突出、または退避するので、挟持部材が退避した状態では、挟持部材が移動側連結部に重ならない。したがって、固定バーを移動バーに対して移動させれば、移動側連結部が固定側連結部から離間し、両者の連結が解除される。
【００２１】
挟持部材が空圧で進退可能に構成されているので、応答性が良好となり、挟持部材の動作が速やかに行われ、金型交換時間が短縮される。また、従来の油圧による制御とは異なり、連結装置が大がかりとならないため、挟持手段の構成が簡略化されるとともに、制御、取扱、およびメンテナンスも容易となる。
【００２２】
挟持手段が固定バー内部に収納されているので、ワーク搬送装置のスペース効率が向上し、ワーク搬送装置の小型化が促進される。また、挟持手段が固定バーの長手方向に沿って進退可能に構成されているので、挟持手段が固定バー端部から退避した状態では、挟持部材が移動側連結部に重ならない。したがって、移動側連結部を容易に固定側連結部から外すことが可能となり、取外作業が簡単になる。
【００２３】
第６の発明によれば、ガイドピンが固定側連結部および移動側連結部のいずれか他方に向かって突出しているので、固定側連結部を移動側連結部に重ねるために移動させると同時にガイドピンをガイド孔に挿通することが可能となる。したがって、固定側連結部と移動側連結部との位置決めが容易となる。
第７の発明によれば、固定側連結部と移動側連結部とを重畳または離間させると同時に、連結部を連結または解除するので、従来のようなアクチュエータやディスコネクト装置等を有する連結装置を設けることなく、スライド部材および移動部材の分割、連結が可能となる。したがって、ワーク搬送装置の構造が簡単になるとともに、ワーク搬送装置の軽量化、小型化が促進される。また、連結部の構造が簡単になるので、部品点数が低減し、ワーク搬送装置が安価に構成されるとともに、メンテナンス性が向上する。
【００２４】
第８の発明によれば、プレス機械が前述のプレス機械のワーク搬送装置を備えているので、前述のプレス機械のワーク搬送装置と同様の効果が得られ、軽量化、小型化が促進されるとともに、メンテナンス性が向上する。また、バーの着脱が簡単になることにより、金型交換が容易になり、金型交換時間が短縮される。
【００２５】
第９の発明によれば、位置合わせ工程により、バー連結装置と連結部との位置を合わせる。そして連結解除工程によって固定バーを移動バーに対して移動させると、バー連結装置の連結が解除されるとともに、係合部の被係合部への係合が外れる。つまり、一つの移動動作で、バー連結装置および連結部の両方が同時に外れるので、バーの取外作業が容易になる。また、スライド部材および移動部材が、係合部および被係合部の係合によって連結されるので、従来の連結装置に用いられたようなアクチュエータが不要となる。このため、金型交換時にスライド部材および移動部材を連結させる際に、アクチュエータの動作を確認するなどの作業が不要になるため、これによっても金型交換作業が簡略化する。よって、金型交換時間が短縮される。
【発明を実施するための最良の形態】
【００２６】
以下、本発明の一実施形態を図面に基づいて説明する。
【００２７】
図１は、本発明の一実施形態に係るトランスファプレス（プレス機械）１の全体図が示されている。この図１においてトランスファプレス１は、ベッド２３、アプライト２１、クラウン２０、およびスライド２２よりなるプレス本体１Ａと、上金型１２および下金型１３を備えた金型１１と、ムービングボルスタ３０と、トランスファフィーダ（ワーク搬送装置）４１とで構成されている。
【００２８】
フロア（ＦＬ）下にはトランスファプレス１の土台となるベッド２３が設けられており、この上面には、フィード方向（ワーク２の搬送方向に平行な方向）、及びクランプ方向（フィード方向に対して水平直交する方向、図１において紙面に垂直な方向）にそれぞれ対向したアプライト２１が複数本（本実施形態では４本、図１においては、そのうち２本が図示されている）立設されている。また、このアプライト２１上には図示しないスライド駆動装置を内装したクラウン２０が支持されており、クラウン２０の下方には、前記スライド駆動装置により昇降自在とされたスライド２２が下吊されている。そして、スライド２２下面には複数のプレス成形加工工程に対応した上金型１２が、フィード方向に沿ってそれぞれ順に、脱着自在に配備されている。ベッド２３の上面にはムービングボルスタ３０が設けられ、その上面には前記複数の上金型１２と対をなす下金型１３が、それぞれの上金型１２に対向して脱着自在に配設されている。
【００２９】
ムービングボルスタ３０につき以下説明する。
【００３０】
このムービングボルスタ３０は、使用済みの金型１１（上金型１２、下金型１３）を次に使用する金型１１と交換するためベッド２３の上面に対して搬出入自在に設けられている。
【００３１】
フロア上及びベッド２３上には図示しないレールが敷設されており、ムービングボルスタ３０は、レール上を自走可能とする駆動装置を備えている。この駆動装置により、ムービングボルスタ３０が自走すると、ムービングボルスタ３０はワーク搬送方向に平行に立設する一対のアプライト２１間をクランプ方向に通過し、トランスファプレス１内（またはトランスファプレス１外）から搬出（または搬入）される。
【００３２】
なお、ムービングボルスタ３０は通常２セット準備されており、金型１１をワーク機種に対応して迅速に段取換えするため、使用済みの金型１１を載置した一方のセットのムービングボルスタ３０を、前もってトランスファプレス１外で次に使用する金型１１が外段取で装着された他方のセットのムービングボルスタ３０と自動交換する。
【００３３】
次に、トランスファフィーダ４１について詳述する。
【００３４】
図２には、トランスファフィーダ４１の斜視図が示されている。この図２において、トランスファフィーダ４１は、ワーク搬送方向に対して左右に設けられた一対のバー１４と、このバー１４上に設けられるとともに、ワーク２を保持するワーク保持具５２と、ワーク保持具５２をフィード方向に移動させるフィード駆動機構７０と、バー１４を上下方向（フィード方向およびクランプ方向に直交する方向、リフト方向）及びクランプ方向に移動させるリフト・クランプ装置（バー駆動機構）８０とを備えて構成されている。
【００３５】
一対のバー１４は、互いに所定間隔を有してフィード方向に平行に配置されている。
【００３６】
ムービングボルスタ３０のワーク搬送方向両側の、上流側の２本のアプライト２１間および下流側の２本のアプライト２１間のベッド２３上には、それぞれフレーム３３Ａが設けられている。そして、これらのフレーム３３Ａにリフト・クランプ装置８０が設けられている。
【００３７】
バー１４は、両端に配置されそれぞれリフト・クランプ装置８０に固定される固定バー１４１と、これらの固定バー１４１の間に配置され、金型交換の際にこの固定バー１４１から取外可能な移動バー１４２と、固定バー１４１と移動バー１４２とを連結するバー連結装置１５とを備えている。
【００３８】
図３および図４には、バー連結装置１５が示されている。ここで、図３はバー連結装置１５の側面図であり、図４は、バー連結装置１５の平面図である。また図４は、フィード駆動機構７０を外した状態でバー１４を上方から見た図となっている。
【００３９】
バー連結装置１５は、固定バー１４１側に形成される固定側連結部１５１と、移動バー１４２側に形成される移動側連結部１５２と、移動側連結部１５２と固定側連結部１５１とを位置決めする位置決め機構１５３と、移動側連結部１５２を固定側連結部１５１に固定するエアクランプ（挟持手段）１６と、エアクランプ１６にエアを供給する図示しないエア供給装置とを備えている。
【００４０】
固定側連結部１５１は、固定バー１４１の端部から移動バー１４２に向かって、バー１４の長手方向に沿って突出して形成されている。固定側連結部１５１は、板状に形成されており、その平面が略水平方向に沿って配置されている。また、固定側連結部１５１の下面には、固定側連結部１５１を補強するための固定側リブ１５１Ａが形成されている。固定側リブ１５１Ａは複数箇所（本実施形態では二箇所）に形成され、それぞれがバー１４の長手方向に沿って、固定バー１４１端部から固定側連結部１５１の端部近傍まで形成されている。これらの固定側リブ１５１Ａによって、固定側連結部１５１のリフト方向の強度を向上させることができる。
【００４１】
移動側連結部１５２は、移動バー１４２の端部から固定バー１４１に向かって、バー１４の長手方向に沿って突出して形成されている。移動側連結部１５２は、板状に形成されており、その平面が略水平方向に沿って配置されている。また、移動側連結部１５２の上面には、移動側連結部１５２を補強するための移動側リブ１５２Ａが形成されている。移動側リブ１５２Ａは複数箇所（本実施形態では二箇所）に形成され、それぞれがバー１４の長手方向に沿って、移動バー１４２端部から移動側連結部１５２の端部近傍まで形成されている。これらの移動側リブ１５２Ａによって、移動側連結部１５２のリフト方向の強度を向上させることができる。
【００４２】
位置決め機構１５３は、固定側連結部１５１に設けられるガイドピン１５３Ａと、移動側連結部１５２に形成されるガイド孔１５３Ｂとを備えている。ガイドピン１５３Ａは、バー１４の長手方向に直交する方向に関して固定側リブ１５１Ａよりも外側に二箇所形成されており、固定側連結部１５１から上方に、つまり移動側連結部１５２に向かって突出して設けられている。ガイド孔１５３Ｂは、移動側連結部１５２において、ガイドピン１５３Ａに対応する位置に二箇所形成されている。これらのガイド孔１５３Ｂは、バー１４の長手方向に直交する方向に関して移動側リブ１５２Ａよりも外側に配置される。
【００４３】
このような構成の位置決め機構１５３では、ガイドピン１５３Ａがガイド孔１５３Ｂに挿通されることにより固定側連結部１５１と移動側連結部１５２とのフィード方向およびクランプ方向の位置決めが行われる。また、位置決め機構１５３、つまりガイドピン１５３Ａおよびガイド孔１５３Ｂは、バー１４がクランプ方向に移動する時にかかるクランプ方向の負荷を受ける役割を果たす。
【００４４】
図５には、エアクランプ１６の側断面図が示されている。この図５に示されるように、エアクランプ１６は、エア圧（空圧）で駆動されて移動側連結部１５２を固定側連結部１５１との間で挟持する構成のものが採用でき、例えば本実施形態ではPascal社のエア駆動クランプModel TLAが採用されている。エアクランプ１６は、固定バー１４１の内部に収納される筐体１６１と、筐体１６１内部に形成されるエア供給室１６２と、エア供給室１６２内部に配置されるピストン１６３と、ピストン１６３の移動に伴って進退するピストンロッド１６４と、ピストンロッド１６４の進退動作によって移動側連結部１５２をクランプするクランプ部材（挟持部材）１６５とを備えている。
【００４５】
筐体１６１は、固定バー１４１の断面方向に関しては、全体が固定バー１４１の内部に収納されている。また筐体１６１は、固定バー１４１の長手方向に関しては、ほぼ全体が固定バー１４１内部に配置され、一部が固定バー１４１の端部から突出して配置されている。このような配置の筐体１６１は、ねじ止めなどによって固定バー１４１に固定されている。筐体１６１内部において、固定バー１４１端部から遠い側には、エア供給室１６２が形成されている。
【００４６】
このように、筐体１６１が固定バー１４１内部に収納されているので、エアクランプ１６が固定バー１４１端部から大きく突出しない。したがって、固定側連結部１５１および移動側連結部１５２のバー１４の長手方向に沿った寸法を短くでき、バー１４の連結部分の強度低下を防止できる。
【００４７】
エア供給室１６２は、ピストン１６３によって二つに分割されており、一方のエア供給室１６２Ａ内部には、ピストン１６３と筐体１６１内壁との間に圧縮ばね１６３Ａが設けられている。この圧縮ばね１６３Ａによってピストン１６３は、他方のエア供給室１６２Ｂ側に付勢可能とされている。また、二つのエア供給室１６２（１６２Ａ，１６２Ｂ）には、図示しないエア供給装置が接続されており、それぞれのエア供給室１６２（１６２Ａ，１６２Ｂ）内に所定圧力のエアが供給可能となっている。
【００４８】
ピストン１６３には、ピストンロッド１６４の一端が固定されている。ピストンロッド１６４は、エア供給室１６２を貫通し、エア供給室１６２外側に配置された他端側には、くさび状部材１６４Ａが固定されている。また、ピストンロッド１６４の他端側には、くさび状部材１６４Ａよりも先端側に、鈎状部材１６４Ｂが形成されている。
【００４９】
くさび状部材１６４Ａの下面は、筐体１６１に対してピストンロッド１６４の軸方向に摺動可能に配置されている。またくさび状部材１６４Ａの上面は、ピストンロッド１６４の先端側に向かって下面との距離が小さくなる傾斜面として形成され、この傾斜面により、くさび状部材１６４Ａは、全体として先端側に向かって尖ったテーパー状に形成されている。また、鈎状部材１６４Ｂは、上方に向かって突出する鈎状に形成されている。
【００５０】
クランプ部材１６５には、移動側連結部１５２を挟持するクランプ部１６５Ａと、ピストンロッド１６４の進退動作をクランプ部材１６５に伝達する動作部１６５Ｂと、クランプ部材１６５をピストンロッド１６４に対して付勢するばね１６７が取り付けられるばね取付部１６５Ｃとが形成されている。クランプ部材１６５は、進退方向（バー１４の長手方向）に直交する方向に回動軸１６５Ｄを備え、この回動軸１６５Ｄは、筐体１６１に形成される長孔１６１Ａ（図６において点線で図示）に挿入されている。ここで、長孔１６１Ａの長軸は、固定バー１４１の長手方向に沿って配置されているので、クランプ部材１６５は、筐体１６１に対して回動自在にかつバー１４の長手方向に摺動可能に支持される。
【００５１】
クランプ部１６５Ａは、筐体１６１から突出可能に形成され、先端側の下面が移動側連結部１５２の上面に当接可能となっている。ここで、クランプ部１６５Ａの下面は、移動側連結部１５２の上面に安定して当接できるように、平面状に形成されることが望ましい。このクランプ部１６５Ａが移動側連結部１５２の上面に当接されると、移動側連結部１５２がクランプ部１６５Ａと固定側連結部１５１との間に挟持される。これにより、移動側連結部１５２が固定側連結部１５１に対してリフト方向に固定される。したがって、固定側連結部１５１とクランプ部１６５Ａは、バー１４がリフト方向に移動する時にかかるリフト方向の負荷を受ける役割を果たす。
【００５２】
動作部１６５Ｂには、くさび状部材１６４Ａに当接されるとともに、動作部１６５Ｂに対して回動可能なフォロア１６８が設けられている。
【００５３】
また、動作部１６５Ｂにおいてフォロア１６８よりも固定バー１４１の先端側には、段差部１６９が形成されており、この段差部１６９は、ピストンロッド１６４の鈎状部材１６４Ｂに係合可能となっている。
【００５４】
ばね取付部１６５Ｃは、回動軸１６５Ｄの下方に延出して設けられており、ばね取付部１６５Ｃの延出方向は、動作部１６５Ｂの延出方向に対して回動軸１６５Ｄを中心にして略直交している。ばね取付部１６５Ｃにおいて固定バー１４１の端部側とは反対側の面には、筐体１６１との間にばね１６７が取り付けられている。このばね１６７によって、クランプ部材１６５は、回動軸１６５Ｄを中心に回動する方向に付勢され、この付勢力によって動作部１６５Ｂのフォロア１６８がくさび状部材１６４Ａに対して所定の付勢力で押しつけられている。この付勢力により、ピストンロッド１６４の動作に従ってフォロア１６８が良好にくさび状部材１６４Ａに追従し、クランプ部材１６５を確実に動作させることができる。
【００５５】
また、エアクランプ１６には、クランプ部材１６５の過剰な動作を検出するためのリミットスイッチ１６１Ｂが設けられている。
【００５６】
このようなエアクランプ１６では、一方のエア供給室１６２Ａにエアが供給されると、ピストン１６３には圧縮ばね１６３Ａの付勢力に加えてエアの圧力が加わり、ピストン１６３が他方のエア供給室１６２Ｂに移動する。すると、ピストンロッド１６４もピストン１６３の移動に伴って移動し、くさび状部材１６４Ａが固定バー１４１の先端側に向かって移動する。このとき、クランプ部材１６５のフォロア１６８がくさび状部材１６４Ａの上面を回動するが、くさび状部材１６４Ａの上下方向の厚みが徐々に大きくなるため、クランプ部材１６５がばね１６７の付勢力に抗して、回動軸１６５Ｄを中心に回動する。また、くさび状部材１６４Ａの上面の傾斜面によってフォロア１６８にはクランプ部材１６５を固定バー１４１の長手方向に沿って、その先端側に押圧する力が発生し、これにより、回動軸１６５Ｄが筐体１６１の長孔１６１Ａに対して摺動し、クランプ部材１６５が移動する。つまり、クランプ部１６５Ａは、筐体１６１から突出すると同時に回動し、固定側連結部１５１に近接する。
【００５７】
このような回動動作および進退動作により、クランプ部材１６５は、バー１４の長手方向に移動しながら下方に回動する。これにより、クランプ部１６５Ａが移動側連結部１５２に所定力で当接され、移動側連結部１５２が固定側連結部１５１との間に挟持される。
【００５８】
圧縮ばね１６３Ａによって予め所定の付勢力でピストン１６３が付勢されているので、クランプ部材１６５による所定のクランプ力を得るために必要なエア圧が小さくてすみ、省力化を促進できる。また、このような構造によって所定のクランプ力を小さな圧力で得ることができるので、従来の高圧油圧でなくエア圧によるクランプを採用でき、バー連結装置１５の構造、制御、およびその取扱を簡略化できる。
【００５９】
また、何らかの不具合でエアの供給が停止してしまった場合でも、圧縮ばね１６３Ａの付勢力によって移動側連結部１５２を保持できるので、連結が外れるなどの不具合を確実に防止できる。
【００６０】
さらに、エア圧によってピストン１６３を動作させてクランプ力を得ているので、油圧によって動作させる場合に較べて短時間で動作させることができ、金型交換時間を短縮できる。
【００６１】
一方、エアクランプ１６による移動側連結部１５２の挟持を解除する場合には、他方のエア供給室１６２Ｂにエアを供給する。
【００６２】
他方のエア供給室１６２Ｂにエアを供給すると、ピストン１６３が圧縮ばね１６３Ａの付勢力に抗して一方のエア供給室１６２Ａ側に移動する。ピストン１６３の移動に伴ってピストンロッド１６４が移動すると、くさび状部材１６４Ａが退避する。すると、ピストンロッド１６４の動作に伴ってクランプ部材１６５が退避しながら回動軸１６５Ｄを中心に回動し、クランプ部１６５Ａが筐体１６１内に収納される（図５においてクランプ部材１６５の二点鎖線参照）。
【００６３】
図２および図３に戻って、フィード駆動機構７０は、複数のワーク保持具５２を着脱自在に設けたスライドプレート（スライド部材）７１と、スライドプレート７１に接続される移動プレート（移動部材）７２と、スライドプレート７１と移動プレート７２とを連結、分割可能なプレート連結部（連結部）７３と、移動プレート７２に取り付けられるとともに移動プレート７２およびスライドプレート７１をフィード方向に移動させるフィード用リニアモータ（フィード駆動源）７５とを備えている。
【００６４】
スライドプレート７１は、複数の板状部材が互いに連結されて移動バー１４２上面をほぼ覆うように構成されている。複数のワーク保持具５２は、このスライドプレート７１に略等間隔に取り付けられており、対をなすワーク保持具５２との間でワーク２を保持可能に構成されている。
【００６５】
移動プレート７２は、固定バー１４１の側面に設けられたガイドレール７４によって固定バー１４１上をフィード方向に沿って移動可能に設けられている。
【００６６】
図６には、プレート連結部７３の拡大平面図が示されている。この図６に示されるように、プレート連結部７３は、移動プレート７２の端部に設けられた係合部７３１と、スライドプレート７１の端部に形成され、係合部７３１が係合される被係合部７３２とを備えて構成されている。
【００６７】
係合部７３１は、移動プレート７２の端部に複数個（本実施形態では二つ）設けられ、それぞれがスライドプレート７１に向かって突出している。これらの係合部７３１は、平面略Ｔ字形に形成されており、その先端部７３１Ａが被係合部７３２に係合する部分となっている。先端部７３１Ａの先端側でかつ厚み方向上部、および先端部７３１Ａの基端側でかつ厚み方向上部には、傾斜部７３１Ｂが形成されている。これらの傾斜部７３１Ｂにより、先端部７３１Ａを下方から上方に移動させて被係合部７３２に係合させる際に、先端部７３１Ａが被係合部７３２に案内され、両者を容易に係合させることができる。
【００６８】
被係合部７３２は、スライドプレート７１の端部で、係合部７３１に対応する位置に設けられており、移動プレート７２に向かって凹状の、平面略Ｃ字形に形成されている。このような形状の被係合部７３２の凹状部分に、上下方向（鉛直方向）から係合部７３１の先端部７３１Ａが挿通されることにより、係合部７３１が被係合部７３２に係合する。
【００６９】
なお、係合部７３１と被係合部７３２との間には、両者の係合が容易に行えるように、所定寸法の隙間（遊び）が形成されていてもよい。ここで、当該隙間は、対となるワーク保持具５２の相対位置のずれによってワーク２の保持性能に影響を与えない範囲で設定されることが望ましい。
【００７０】
このような構成のプレート連結部７３により、移動プレート７２とスライドプレート７１とを相対的に上下方向（厚み方向、鉛直方向）に移動させると、係合部７３１と被係合部７３２との係合が解除され、または両者が連結されるようになっている。
【００７１】
スライドプレート７１および移動プレート７２は、それぞれ移動バー１４２および固定バー１４１の上面をスライド可能に設けられているので、プレート連結部７３が連結された状態で、フィード用リニアモータ７５によって移動プレート７２を駆動すると、移動プレート７２およびスライドプレート７１がバー１４上をフィード方向にスライドする。このとき、スライドプレート７１および移動プレート７２の上下方向の位置は、バー１４の上面によって規定され案内されているので、プレート連結部７３の係合部７３１と被係合部７３２との上下位置がずれることがなく、したがって、両者の係合が外れることはない。
【００７２】
プレート連結部７３が係合部７３１と被係合部７３２とを備えて構成され、両者を係合させるのみでスライドプレート７１と移動プレート７２とを連結できるので、プレート連結部７３としてアクチュエータ等を使用する必要がなく、プレート連結部７３の構造を簡単にでき、アクチュエータの動作不具合の発生などを除去できる。また、プレート連結部７３の構造を簡略化できるので、プレート連結部７３の部品点数を低減できるとともに、プレート連結部７３の小型化、軽量化を促進できる。さらに、アクチュエータ等が不要となるので、金型交換時には、アクチュエータの動作確認などの作業を省略できるから、金型交換時間を短縮できるとともに、メンテナンス性を向上させることができる。
【００７３】
フィード用リニアモータ７５は、固定バー１４１の上面に沿ってフィード方向に敷設された固定部分としてのマグネット板７６と、マグネット板７６に対向し、移動プレート７２の下面に固着された移動部分としてのコイル板７７とで成立っている。コイル板７７に移動磁界が生じるように電流を流すと、マグネット板７６に吸引・反発される力を受けてコイル板７７が移動する。そしてコイル板７７とともに移動プレート７２が移動させられると、この移動プレート７２の移動に伴って、スライドプレート７１が移動バー１４２上をフィード方向に移動することとなる。これにより、スライドプレート７１に取り付けられた複数のワーク保持具５２が互いの距離を保持したまま、一斉にフィード方向に移動する。
【００７４】
このように複数のワーク保持具５２をスライドプレート７１に着脱自在に設置し、スライドプレート７１をフィード用リニアモータ７５で駆動するように構成したので、バー１４一本当たり一つあるいは二つのフィード用リニアモータ７５で複数のワーク保持具５２を移動させることができる。したがって、フィード用リニアモータ７５の設置数を減少させることができ、トランスファフィーダ４１のコスト低減を実現できる。
【００７５】
ところで、フィード用リニアモータ７５が二つある場合は、移動バー１４２の両端の固定バー１４１の両方にフィード用リニアモータ７５を設置してある。また、フィード用リニアモータ７５が一つの場合は、移動バー１４２の両端の固定バー１４１のいずれか一方にのみフィード用リニアモータ７５を設置してある。
【００７６】
なお、固定バー１４１に対するマグネット板７６の位置は、必ずしも固定バー１４１の上面である必要はなく、固定バー１４１の側面あるいは下面に沿って敷設されていても良い。
【００７７】
さらに、リニアモータのマグネット板は固定側、コイル板は移動側で説明したが、マグネット板を移動側、コイル板を固定側としても良い。
【００７８】
リフト・クランプ装置８０は、詳細は図示しないが、バー１４をリフト方向に移動させるリフト装置と、バー１４をクランプ方向に移動させるクランプ装置とで構成されている。
【００７９】
リフト装置は、リフト駆動モータでスクリューを回転させることによりバー１４を上下動（リフト動）させる。また、クランプ装置は、クランプ駆動モータでスクリューを回転させることにより、バー１４をクランプ方向に移動させる。なおこのクランプ方向の移動の際、一対のバー１４は、互いに逆方向に移動するように構成されている。つまり、一対のバー１４は、互いに近接する方向または離間する方向に移動するように構成されている。
【００８０】
次に、このような構成のトランスファプレス１の動作について説明する。
【００８１】
ワーク２を搬送する場合には、トランスファフィーダ４１は、フィード用リニアモータ７５によってバー１４上でワーク保持具５２をワーク搬送方向に往復するフィード・リターン動と、リフト・クランプ装置８０によってバー１４を昇降（リフト）させる昇降動（リフト・ダウン動）と、同じくリフト・クランプ装置８０によってバー１４をワーク搬送方向に水平直交する方向に往復動するクランプ・アンクランプ動との３次元動作を行っている。そして、ワーク保持具５２をフィード方向、リフト方向、及びクランプ方向に適宜往復動させることにより、ワーク２を上流側（図１の左方向）の下金型１３上から下流側の（図１の右方向）の下金型１３上に順次移送する。
【００８２】
金型１１を交換する際には、各ワーク保持具５２も金型に合わせて交換するので、ワーク保持具５２をバー１４と共にムービングボルスタ３０に載せてワーク搬送領域から外側に移動する必要がある。ここで、バー１４は、フレーム３３Ａに設けられたリフト・クランプ装置８０に支承されているため、バー１４の搬出の妨げになる。
【００８３】
そこで、バー１４の移動バー１４２を固定バー１４１から分割して取り外し、移動バー１４２をムービングボルスタ３０のバー受台３１に載置する。この際、スライドプレート７１も移動バー１４２とともに取り外す必要があるため、スライドプレート７１を移動プレート７２から取り外す。
【００８４】
以下に、バー１４の取外方法について説明する。
【００８５】
バー１４の取外方法は、バー連結装置１５の上方にプレート連結部７３を配置する位置合わせ工程と、固定バー１４１による移動バー１４２の挟持を解除する挟持解除工程と、固定バー１４１を移動バー１４２に対して下方に移動させることにより、固定バー１４１と移動バー１４２との係合、およびスライドプレート７１と移動プレート７２との係合を外す係合解除工程と、移動プレート７２をスライドプレート７１から離間させる方向に退避させる移動プレート退避工程とを備えている。
【００８６】
図７および図８は、位置合わせ工程を示す図である。まず、位置合わせ工程では、図７に示されるように、リフト・クランプ装置８０によってバー１４をバー受台３１に載置する。この状態では、ワーク保持具５２がワーク２を搬送するために使用された後の状態であるため、移動プレート７２およびスライドプレート７１がバー１４の所定の位置にあり、プレート連結部７３とバー連結装置１５との位置がずれている。そこで、フィード用リニアモータ７５によって移動プレート７２およびスライドプレート７１をフィード方向にスライドさせ、図７に示されるような位置から、図８に示されるように、プレート連結部７３の位置をバー連結装置１５に対応する位置に移動させる。この位置合わせ工程により、バー連結装置１５の上方にプレート連結部７３が配置される。
【００８７】
次に、挟持解除工程では、エアクランプ１６の他方のエア供給室１６２Ｂにエアを供給し、クランプ部材１６５を回動させながら退避させる。このとき、クランプ部材１６５は、筐体１６１内に収納されるので、移動側連結部１５２上部にクランプ部材１６５が突出しない。この挟持解除工程により、固定側連結部１５１とクランプ部材１６５とによる移動側連結部１５２の挟持が解除され、バー連結装置１５は上下方向にフリーの状態となる。
【００８８】
係合解除工程では、図９に示されるように、リフト・クランプ装置８０によって固定バー１４１を下方に移動させる。すると、ガイドピン１５３Ａがガイド孔１５３Ｂから外れ、バー連結装置１５の連結が外れ、移動バー１４２と固定バー１４１との連結が解除される。また、これと同時に、係合部７３１が下方に移動するため、被係合部７３２との係合が外れるので、スライドプレート７１と移動プレート７２との連結が解除される。なお、挟持解除工程と係合解除工程とを備えて、本発明の連結解除工程が構成されている。
【００８９】
このように、位置合わせ工程および連結解除工程によって、バー連結装置１５とプレート連結部７３とを同時に外れる。つまり、ガイドピン１５３Ａの突出方向と係合部７３１の係合方向とがともに鉛直方向であるから、ガイドピン１５３Ａをガイド孔１５３Ｂから外すために固定バー１４１を移動バー１４２に対して下方に移動させると、この移動によって係合部７３１が被係合部７３２に対して下方に移動するので、係合部７３１の係合が外れる。よって、一度の動作でバー１４を容易に取り外すことができ、バー１４の取外作業を簡略化できる。
【００９０】
移動プレート退避工程では、図１０に示されるように、フィード用リニアモータ７５を駆動して移動プレート７２をさらにフィード方向に移動させて移動プレート７２をスライドプレート７１から離間させることにより、係合部７３１が被係合部７３２や移動バー１４２に干渉しない位置まで退避させる。
【００９１】
そして、ムービングボルスタ３０をトランスファプレス１の左右方向（ワーク搬送方向に直交する方向）に移動させて、移動バー１４２をムービングボルスタ３０とともにトランスファプレス１の外に搬出する（搬出工程）。
また、次のワーク保持具５２が取り付けられたバー１４をトランスファフィーダ４１に取り付ける際には、前述のバー１４の取外方法と逆の手順によってバー１４の装着方法を行う。つまり、バー１４の装着方法は、移動バー移動工程と、係合工程と、移動バー挟持工程とを備えている。
まず、移動バー移動工程では、トランスファプレス１の外において、バー受台３１に次のプレス成形で使用する移動バー１４２を載置し、ムービングボルスタ３０を移動させて移動バー１４２をトランスファプレス１の中に搬入する。そして、ムービングボルスタ３０を、ベッド２３上の所定の位置に載置させると、固定側連結部１５１が移動側連結部１５２の下方に、ガイドピン１５３Ａがガイド孔１５３Ｂの下方に、また係合部７３１が被係合部７３２の下方にそれぞれ位置する。
【００９２】
係合工程では、リフト・クランプ装置８０によって固定バー１４１を上方に移動させることにより、ガイドピン１５３Ａをガイド孔１５３Ｂに挿通させ、バー連結装置１５の係合を行う。また、この係合と同時に、係合部７３１が被係合部７３２に係合することにより、プレート連結部７３の係合を行う。ここで、固定バー１４１と移動バー１４２との上下方向の位置は、固定側連結部１５１が移動側連結部１５２に当接されることにより、規定される。したがって、係合部７３１と被係合部７３２との上下方向の位置も、これにより規定され、スライドプレート７１と移動プレート７２との上下方向の位置決めが適切に行われる。
【００９３】
ここで、ガイドピン１５３Ａをガイド孔１５３Ｂに挿通すると、移動側連結部１５２の下面が固定側連結部１５１の上面に接触し、移動側連結部１５２が固定側連結部１５１の上方に配置される。このため、例えば固定バー１４１の上方への移動量が過剰となった場合でも、移動バー１４２がバー受台から浮き上がるのみで移動バー１４２に負荷がかからないため、バー１４の損傷を防止できる。またこれにより、固定バー１４１の移動量の精度を高くする必要がないため、固定バー１４１の位置制御を簡単にできるとともに、固定側連結部１５１の上面を移動側連結部１５２の下面に確実に接触させることができるから、固定バー１４１と移動バー１４２とのリフト方向の位置決めを簡単に行える。
【００９４】
移動バー挟持工程では、エアクランプ１６の一方のエア供給室１６２Ａにエアを供給することにより、ピストン１６３を固定バー１４１の端部側に移動させる。すると、クランプ部材１６５が筐体１６１から突出し、かつ回動軸１６５Ｄを中心に回動してクランプ部１６５Ａが下方に移動することにより、クランプ部１６５Ａと固定側連結部１５１との間に、移動側連結部１５２を挟持する。
【００９５】
なお、係合工程と移動バー挟持工程とを備えて、連結工程が構成されている。
【００９６】
以上のような装着工程により、移動バー１４２が固定バー１４１に取り付けられ、またスライドプレート７１が移動プレート７２に連結される。
【００９７】
なお、バー受台３１には、昇降装置が設けられていてもよく、また、移動バー１４２をクランプ方向に移動させる手段が設けられていてもよい。この場合にはトランスファプレス１の本体外での金型交換作業において、金型１１をムービングボルスタ３０に載せ換える際、バー１４の間隔を広げることができるから、金型１１の交換作業を容易に行える。
【００９８】
なお、本発明は前述の実施形態に限定されるものではなく、本発明の目的を達成できる範囲での変形、改良等は本発明に含まれるものである。
【００９９】
係合部と被係合部との係合方向は、鉛直方向に限らず、例えば水平方向など、任意の方向に設定できる。係合部と被係合部との係合方向が例えば水平方向である場合には、固定バーを移動バーに対して水平方向（クランプ方向）に移動させることにより、係合を外すことができる。
【０１００】
係合部は移動部材に取り付けられ、被係合部はスライド部材に取り付けられていたが、これに限らず例えば係合部がスライド部材に取り付けられ、被係合部が移動部材に取り付けられていてもよい。要するに、スライド部材および移動部材のいずれか一方に係合部が形成され、いずれか他方に被係合部が形成されていればよい。また、係合部および被係合部の形成位置は、二箇所に限らず、任意の数、任意の位置に設定できる。
【０１０１】
係合部および被係合部の形状は、それぞれ平面略Ｔ字形および平面略Ｃ字形のものに限らず、互いに係合する任意の形状を採用できる。例えば、係合部および被係合部をそれぞれ互いに係合する鈎状に形成してもよい。あるいは、例えば係合部をピンで構成し、被係合部を孔で構成し、係合部を被係合部に挿通する構成であってもよい。
【０１０２】
バー駆動機構は、バーをリスト方向およびクランプ方向に駆動するものに限らず、リフト方向のみ、またはクランプ方向のみに駆動するものであってもよい。
【０１０３】
フィード駆動源は、リニアモータに限らず、例えば電動モータなど、任意の形式の駆動源を採用できる。
【０１０４】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
【０１０５】
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１０６】
本発明は、一つの機械で複数のプレス工程を行い、ワークを次工程に順次に搬送するトランスファプレスに利用できる他、直列に接続されたタンデムプレスにも利用することができる。
【図面の簡単な説明】
【０１０７】
【図１】本発明の一実施形態に係るプレス機械を示す全体図。
【図２】本発明の一実施形態に係るワーク搬送装置を示す斜視図。
【図３】本発明の一実施形態に係るバー連結装置を示す側面図。
【図４】本発明の一実施形態に係るバー連結装置の一部拡大平面図。
【図５】本発明の一実施形態に係る挟持手段の側断面図。
【図６】本発明の一実施形態に係る連結部を示す平面図。
【図７】本発明の一実施形態に係るワーク搬送装置のバー取外方法を示す図。
【図８】本発明の一実施形態に係るワーク搬送装置のバー取外方法を示す図。
【図９】本発明の一実施形態に係るワーク搬送装置のバー取外方法を示す図。
【図１０】本発明の一実施形態に係るワーク搬送装置のバー取外方法を示す図。
【符号の説明】
【０１０８】
１…トランスファプレス（プレス機械）、２…ワーク、１４…バー、１５…バー連結装置、１６…エアクランプ（挟持手段）、４１…トランスファフィーダ（ワーク搬送装置）、５２…ワーク保持具、７０…フィード駆動機構、７１…スライドプレート（スライド部材）、７２…移動プレート（移動部材）、７３…プレート連結部（連結部）、７５…フィード用リニアモータ（フィード駆動源）、１４１…固定バー、１４２…移動バー、１５１…固定側連結部、１５２…移動側連結部、１５３Ａ…ガイドピン、１５３Ｂ…ガイド孔、１６５…クランプ部材（挟持部材）、７３１…係合部、７３２…被係合部。
【図１】
2006289478.tif 000003
【図２】
2006289478.tif 000004
【図３】
2006289478.tif 000005
【図４】
2006289478.tif 000006
【図５】
2006289478.tif 000007
【図６】
2006289478.tif 000008
【図７】
2006289478.tif 000009
【図８】
2006289478.tif 000010
【図９】
2006289478.tif 000011
【図１０】
2006289478.tif 000012